(57)【要約】【課題】従来のテレビ室内アンテナでは、ＶＨＦでは、ロッドアンテナＵＨＦではループアンテナが多く利用されている。しかし利得が少なく強電界地域でないと受信できない課題があった。また屋外では八木アンテナが多く利用されているが、利得を上げるために導波器を多くする必要があり、それによりブームも長くなって大きくなるのが課題であった。【解決手段】第１の導体と第２の導体の全体長を３／２λとして、Ｖ字形にして、頂点の導体を給電点にして内側にＶ字形の全体長１／２λの寄生素子を入れることにより広帯域、インピーダンスの整合が良くなる。またエレメントの先端の１／４λを水平にして、変形Ｖビームアンテナにすると、利得が上昇する。テレビのＵＨＦで設計するとＶＨＦ（４ｃｈ〜１２ｃｈ）では１／２λとして動作するため一つのアンテナで使用できる。【選択図】  図２
2009005245.tif 000002
【特許請求の範囲】
【請求項１】
第１の導体と第２の導体の全体の長さは、設計周波数を１波長（λ）として３／２λとする。
導体は線状としてその全体の長さの中心部からＶ字形状にしてその頂点に給電するアンテナで（1辺３／４λ）その内側に全体長さ１／２λでＶ字形状の寄生素子の導体を使用したことを特徴とするＶビームアンテナ
【請求項２】
請求項１のＶビームアンテナとして各エレメント先端の１／４λ部分を水平にしたことを特徴とする変形Ｖビームアンテナ
【請求項３】
請求項１のＶビームアンテナの線状アンテナを違う長さの数条の導体を結合したことを特徴とするＶビームアンテナ
【請求項４】
請求項２のＶビームアンテナの線状アンテナを違う長さの数条の導体を結合したことを特徴とする変形Ｖビームアンテナ
【発明の詳細な説明】
【技術分野】
【０００１】
この発明は広帯域な特性を有するＶビームアンテナに関するものである。
【背景技術】
【０００２】
図５は一般的なテレビの室内アンテナです。ＶＨＦではロッドアンテナ、ＵＨＦではループアンテナが多く利用されている。しかし利得が少なく強電界地域でないと室内アンテナは利用できなかった。特許文献１にＶダイポールがあるが、全体の長さが1／２λであり、あまり利得の向上が見込めない。特許文献２はＶ形であるが、これは長さを１．２λまでで角度を変えることで、ビームパターンを変えるもので、インピーダンスの整合に問題がる。一般的なＶビームアンテナは数波長になり大きくなるためあまり実用化されていない。３／２λの曲線アンテナも考案されているが。再現性に問題があり実用化に至っていない。
【特許文献１】特開2００６−２０３７１４号
【特許文献２】特開平０９−２６０９２７号
【発明の開示】
【発明が解決しようとする課題】
【０００３】
この発明は上記の従来の技術を解消するため、広帯域化、高利得化が必要となっている。
一つのアンテナでＶ・ＵＨＦテレビアンテナで利用可能する課題があった。
【課題を解決するための手段】
【０００４】
第１の発明によるＶビームアンテナは、全体の長さを３／２λとして、Ｖ字の形状にして指向性を持たせ利得を上げる。Ｖ字の角度は１２０度で、内側に全体の長さ１／２λのＶ字の寄生素子を配置することにより広帯域、インピーダンスの整合を図っている。図１
【０００５】
第２の発明によるＶビームアンテナは第１1のアンテナの各エレメントの先端から１／４λ部分を水平にした変形Ｖビームアンテナ。請求項１のアンテナに比べて角度は９０度、になる。利得は１ｄｂ上がることとなる。図２
【０００６】
第３の発明によるＶビームアンテナは、地上デジタルテレビに対応するため広帯域化を図る。長さの違う数条の導体の先端を接続したアンテナを図３に示す。３と４が給電点である。
【発明の効果】
【０００７】
このＶビームアンテナはエレメント長が長くなるが、利得が上がり、広帯域となり設計により、ＶＨＦ・ＵＨＦのアンテナが周波数の３倍の関係ならば一つのアンテナですむことになる。
【発明を実施するための最良の形態】
【０００８】
１エレメントでＵＨＦ・ＶＨＦ帯のテレビの周波数をカバーできるアンテナである。多線状として全長３／２λで図６のＶビームアンテナである。ＵＨＦビームパターンを図８にＶＳＷＲ周波数特性図を図７・９に示す。このように設計すれば現在多くの室内アンテナが使用されているが、ＶＨＦ（ハイバンド）とＵＨＦのアンテナは指向性が生じ、少し長くなるが、アンテナが一つで足りることになり、室内アンテナとして利用でき経済的である。従来のアンテナより利得があがる。（ゲイン：５ｄｂ）
【０００９】
応用例として、図１０は４３５ＭＨＺ、１４５ＭＨＺで使用でき各エレメントの形状が第２の形状の３エレメント変形Ｖビームアンテナ斜視図である。寄生素子ははずしてあり、利得は４３５ＭＨＺで９．５ｄｂ・１４５ＭＨＺで５ｄｂである。図１３に両周波数に利用できるＶビームアンテナが示してあるが、変形Ｖビームアンテナよりゲインが０．５ｄｂ程度低くなる。変形Ｖビームアンテナのビームパターン４３５ＭＨＺは図１１に図１２に１４５ＭＨＺを示す。
【産業上の利用可能性】
【００１０】
地上デジタル放送用の室内アンテナに利用できる。
【図面の簡単な説明】
【００１１】
【図１】本発明にかかる第１の実施形態におけるＶビームアンテナの上面視図である。
【図２】本発明にかかる第２の実施形態における変形Ｖビームアンテナの上面視図である。
【図３】本発明にかかる第３の実施形態におけるＶビームアンテナの上面視図である。
【図４】本発明にかかる第４の実施形態における変形Ｖビームアンテナの上面視図である。
【図５】従来構成における室内テレビアンテナでＶＨＦアンテナではロッドアンテナＵＨＦアンテナではループアンテナの模式図である。
【図６】第４の実施形態でのテレビ用多線式変形Ｖビームアンテナ１エレメントアンテナの斜視図である。（寄生素子付き）
【図７】図６の多線状変形ＶビームアンテナのテレビＵＨＦ帯ＶＳＷＲ特性図である。（４７０ＭＨＺ〜７１０ＭＨＺ）
【図８】図６の多線状変形ＶビームアンテナのテレビＵＨＦ指向性パターン特性図である。（５３０ＭＨＺ）
【図９】図６の多線状変形ＶビームアンテナのテレビＶＨＦ帯ＶＳＷＲ周波数特性図である。（１７５ＭＨＺ〜２１０ＭＨＺ）
【図１０】参考例として４３５ＭＨＺと１４５ＭＨＺで利用できる３エレ変形Ｖビームアンテナの斜視図である。
【図１１】図１０の３エレ変形Ｖビームアンテナのビームパターン図である。（４３５ＭＨＺ、Ｇａｉｎ：９．５ｄｂ）
【図１２】図１０の３エレ変形Ｖビームアンテナの指向性パターン特性図である。（１４５ＭＨＺ）
【図１３】３エレＶビームアンテナ（１４５ＭＨＺ，４３５ＭＨＺ）の斜視図である。
【符号の説明】
【００１２】
１・２：アンテナ導体
３・４：給電点
５・６：寄生素子
７：放射器
８：反射器
９：導波器
【図１】
2009005245.tif 000003
【図２】
2009005245.tif 000004
【図３】
2009005245.tif 000005
【図４】
2009005245.tif 000006
【図５】
2009005245.tif 000007
【図６】
2009005245.tif 000008
【図７】
2009005245.tif 000009
【図８】
2009005245.tif 000010
【図９】
2009005245.tif 000011
【図１０】
2009005245.tif 000012
【図１１】
2009005245.tif 000013
【図１２】
2009005245.tif 000014
【図１３】
2009005245.tif 000015